(57)【要約】【課題】可撓性を有する表示体を支持する支持体を軽量化する。【解決手段】可撓性を有する表示体を支持する支持体であって、線ばねによって構成され、長手方向に所定の長さと、短手方向に所定の幅とを有する線ばね部品１について、線ばね部品１の短手方向に一方の側縁が隣接する他の線ばね部品の他方の側縁を越えて重なるように所定の間隔で配置される複数の線ばね部品１と、複数の線ばね部品１の前記長手方向に一端と他端とをそれぞれ保持して複数の線ばね部品１が配置される方向に延びる可撓性の横枠とを含み、複数の線ばね部品１で表示体を支持する。【選択図】図２
2020148817.tif 000002
【特許請求の範囲】
【請求項１】
可撓性を有する表示体を支持する支持体であって、
線ばねによって構成され、長手方向に所定の長さと、短手方向に所定の幅とを有する線ばね部品について、線ばね部品の短手方向に一方の側縁が隣接する他の線ばね部品の他方の側縁を越えて重なるように所定の間隔で配置される複数の線ばね部品と、
前記複数の線ばね部品の前記長手方向に一端と他端とをそれぞれ保持して前記複数の線ばね部品が配置される方向に延びる可撓性の横枠と
を含み、前記複数の線ばね部品で表示体を支持する支持体。
【請求項２】
前記線ばね部品は、所定の厚さを有する請求項１に記載の支持体。
【請求項３】
前記線ばね部品は、前記長手方向に一端と他端とが前記複数の線ばね部品が配置される方向に沿ってそれぞれ揃うように配置された請求項１又は２に記載の支持体。
【請求項４】
前記複数の線ばね部品の前記複数の線ばね部品が配置される方向に一端と他端とにおいて、それぞれ前記横枠の間に前記長手方向に沿って延びる可撓性の縦枠をさらに含む請求項１から３のいずれかに記載の支持体。
【請求項５】
前記線ばね部品は、前記長手方向及び前記短手方向を含む平面内において、前記長手方向に所定距離にわたって延びる延伸部と、前記長手方向に所定距離にわたって延びるとともに前記延伸部から前記短手方向に一方の側に所定距離にわたって張り出した第１張出部と、前記長手方向に所定距離にわたって延びるとともに前記延伸部から前記短手方向に他方の側に所定距離にわたって張り出した第２張出部とについて、前記長手方向に前記第１張出部と前記第２張出部とが前記延伸部を挟んで交互に配置されてなる請求項１から４のいずれかに記載の支持体。
【請求項６】
前記線ばね部品は、前記線ばね部品の第１張出部が隣接する他の前記線ばね部品の延伸部及び第１張出部に重なり、前記線ばね部品の延伸部及び第２張出部が隣接する他の前記線ばね部品の第２張出部に重なるように配置された請求項５に記載の支持体。
【請求項７】
可撓性を有する表示体を支持する支持体であって、
線ばねによって構成され、長手方向に所定の長さと、短手方向に所定の幅とを有する線ばね部品について、線ばね部品の短手方向に一方の側縁が隣接する他の板ばね部品の他方の側縁を越えて他の板ばね部品に編み込まれるよう配置される複数の線ばね部品と、
前記複数の線ばね部品の前記長手方向に一端と他端とをそれぞれ保持する前記複数の線ばね部品が配置される方向に延びる可撓性の横枠と
を含み、前記複数の線ばね部品で表示体を支持する支持体。
【請求項８】
前記線ばね部品は、所定の厚さを有する請求項７に記載の支持体。
【請求項９】
請求項１から８のいずれかに記載の支持体を用いた表示装置であって、
可撓性を有する表示体と、
前記表示体の少なくとも一部を裏面から支持する前記支持体と、
前記表示体の表示面を露出し、前記表示体の裏面及び前記支持体を覆うように構成された筐体とを含み、
前記筐体の少なくとも一部は、前記表示体及び前記支持体とともに曲げることができる表示装置。
【請求項１０】
前記筐体は、第１筐体及び第２筐体を有し、前記第１筐体及び前記第２筐体は互いを接続する部分で曲げることができる請求項９に記載の表示装置。
【請求項１１】
前記筐体は可撓性を有し、前記筐体の全体を曲げることができる請求項９に記載の表示装置。
【発明の詳細な説明】
【技術分野】
【０００１】
この発明は、可撓性を有する表示体を支持する支持体及びそのような支持体を含んで構成される表示装置に関する。
【背景技術】
【０００２】
従来、有機エレクトロルミネッセンス（有機ＥＬ）を用いた可撓性を有する表示体が提供されている。このような可撓性を有する表示体は、曲げや折り畳みが可能な表示装置として携帯電話機、タブレットコンピュータ、ラップトップコンピュータ等の様々な電子機器で使用されている。このような表示装置においては、柔軟で薄い有機ＥＬの表示体を補強するため、表示体を裏側から支持する支持体として金属板が使用されている。
【０００３】
また、金属板による支持体に代わって、形状記憶合金のワイヤを用いて可撓性を有する表示体を支持し、形状記憶合金のワイヤに電流を流してジュール熱で加熱して変形させることにより、表示装置を電気的に変形させる技術が開示されている（特許文献１を参照）。
【先行技術文献】
【特許文献】
【０００４】
【特許文献１】特開２０１８−３６３９２号公報
【発明の概要】
【発明が解決しようとする課題】
【０００５】
しかしながら、有機ＥＬのような可撓性を有する表示体の支持体に使用される金属板は、一定の重量を有している。特許文献１に記載の技術においても、表示装置を支持して変形させる形状記憶合金のワイヤやワイヤに電流を流す制御回路は、一定の重量を有している。このため、有機ＥＬのような可撓性を有する表示体を備える表示装置においては、表示装置を使用するユーザの負担の軽減を図るために、表示体を支持する支持体を軽量化すること、ひいては支持体を含んで構成される表示装置を軽量化することが求められている。
【０００６】
この発明は、上述の実情に鑑みて提案されるものであって、有機ＥＬのような可撓性を有する表示体を支持する支持体であって、軽量化された支持体、及びそのような支持体を含んで構成される表示装置を提供することを目的とする。
【課題を解決するための手段】
【０００７】
この出願に係る支持体の発明は、可撓性を有する表示体を支持する支持体であって、線ばねによって構成され、長手方向に所定の長さと、短手方向に所定の幅とを有する線ばね部品について、線ばね部品の短手方向に一方の側縁が隣接する他の線ばね部品の他方の側縁を越えて重なるように所定の間隔で配置される複数の線ばね部品と、複数の線ばね部品の前記長手方向に一端と他端とをそれぞれ保持して複数の線ばね部品が配置される方向に延びる可撓性の横枠とを含み、複数の線ばね部品で表示体を支持するものである。線ばね部品は、所定の厚さを有してもよい。
【０００８】
線ばね部品は、前記長手方向に一端と他端とが複数の線ばね部品が配置される方向に沿ってそれぞれ揃うように配置されてもよい。複数の線ばね部品の複数の線ばね部品が配置される方向に一端と他端とにおいて、それぞれ横枠の間に前記長手方向に沿って延びる可撓性の縦枠をさらに含んでもよい。
【０００９】
前記線ばね部品は、前記長手方向及び前記短手方向を含む平面内において、前記長手方向に所定距離にわたって延びる延伸部と、前記長手方向に所定距離にわたって延びるとともに延伸部から前記短手方向に一方の側に所定距離にわたって張り出した第１張出部と、前記長手方向に所定距離にわたって延びるとともに延伸部から前記短手方向に他方の側に所定距離にわたって張り出した第２張出部とについて、前記長手方向に第１張出部と第２張出部とが延伸部を挟んで交互に配置されてなってもよい。線ばね部品は、線ばね部品の第１張出部が隣接する他の線ばね部品の延伸部及び第１張出部に重なり、線ばね部品の延伸部及び第２張出部が隣接する他の線ばね部品の第２張出部に重なるように配置されてもよい。
【００１０】
また、この出願に係る支持体の発明は、可撓性を有する表示体を支持する支持体であって、線ばねによって構成され、長手方向に所定の長さと、短手方向に所定の幅とを有する線ばね部品について、線ばね部品の短手方向に一方の側縁が隣接する他の板ばね部品の他方の側縁を越えて他の板ばね部品に編み込まれるよう配置される複数の線ばね部品と、複数の線ばね部品の前記長手方向に一端と他端とをそれぞれ保持する複数の線ばね部品が配置される方向に延びる可撓性の横枠とを含み、複数の線ばね部品で表示体を支持するものである。線ばね部品は、所定の厚さを有してもよい。
【００１１】
この発明に係る表示装置の発明は、支持体を用いた表示装置であって、可撓性を有する表示体と、表示体の少なくとも一部を裏面から支持する支持体と、表示体の表示面を露出し、表示体の裏面及び支持体を覆うように構成された筐体とを含み、筐体の少なくとも一部は、表示体及び支持体とともに曲げることができるものである。
【００１２】
筐体は、第１筐体及び第２筐体を有し、第１筐体及び第２筐体は互いを接続する部分で曲げることができてもよい。筐体は可撓性を有し、筐体の全体を曲げることができてもよい。
【発明の効果】
【００１３】
この発明によると、有機ＥＬのような可撓性を有する表示体を支持する支持体を軽量化することができる。また、そのような支持体を含んで構成される表示装置も軽量化することができる。
【図面の簡単な説明】
【００１４】
【図１】本実施の形態の支持体の斜視図である。
【図２】本実施の形態の支持体のばね部の一部拡大図である。
【図３】線ばね部品を示す斜視図である。
【図４】本実施の形態の支持体の曲げを説明する図である。
【図５】ばね部の他の態様を示す一部拡大図である。
【図６】本実施の形態の表示装置を説明する図である。
【図７】本実施の形態の表示装置の開閉を説明する図である。
【図８】第１変形例の表示装置を説明する図である。
【図９】第１変形例の表示装置の開閉を説明する図である。
【図１０】第２変形例の表示装置を説明する図である。
【図１１】第２変形例の表示装置の巻き取り説明する図である。
【発明を実施するための形態】
【００１５】
以下、支持体及び表示装置の実施の形態について図面を参照して説明する。図１は、本実施の形態の支持体を示す斜視図である。本実施の形態の支持体１０は、略平面状に広がって周囲が略矩形をなすばね部２と、ばね部２の四辺を取り囲む枠３とを有している。ばね部２は、可撓性を有するとともに、面内及び面に垂直な方向に弾性を有し、有機ＥＬ等の可撓性を有する表示体を裏側から支持して補強することを可能にしている。枠３は、第１横枠３ａ、第２横枠３ｂ、第１縦枠３ｃ及び第２縦枠３ｄからなり、可撓性を有してばね部２を四辺から支持している。
【００１６】
図２は、支持体１０のばね部２の一部拡大図である。図３は、ばね部２を構成する線ばね部品１を示す斜視図である。ばね部２は、所定の形状を有する複数の線ばね部品１が略平面状に配置されて構成されている。線ばね部品１は、所定の径を有する鋼、ステンレス等のワイヤからなる線ばねによって構成されている。線ばね部品１は、所定の厚さを有し、長手方向に所定の長さと、短手方向に所定の幅とを有している。
【００１７】
図３に示すように、線ばね部品１は、長手方向に所定距離にわたって延びる延伸部１ａと、長手方向に所定距離にわたって延びるとともに短手方向に一方の側に所定距離にわたって張り出した第１張出部１ｂと、長手方向に所定距離にわたって延びるとともに短手方向に他方の側に所定距離にわたって張り出した第２張出部１ｃとについて、長手方向に第１張出部１ｂと第２張出部１ｃとが延伸部１ａを挟んで交互に配置されて構成されている。ここで、第１張出部１ｂ及び第２張出部１ｃは、長手方向に直線状に延びる延伸部１ａから短手方向にそれぞれ一方及び他方の側に張り出して略Ｃ字状の屈曲部を形成している。
【００１８】
ばね部２は、線ばね部品１が、その短手方向に一方の側縁が隣接する他の線ばね部品１の他方の側縁を越えて重なるように所定間隔で配置されて構成されている。図２に示すように、線ばね部品１は、短手方向に一方の側に張り出した第１張出部１ｂが隣接する他の線ばね部品１の他方の側に張り出した第２張出部１ｃを越え、第１張出部１ｂが他の線ばね部品１の延伸部１ａ及び第１張出部１ｂの上に重なり、延伸部１ａ及び第２張出部１ｃが他の線ばね部品１の第２張出部１ｃの上に重なるように、所定の間隔で配置されている。
【００１９】
ばね部２は、所定の個数の線ばね部品１が上述のように隣接する他の線ばね部品１と重なり、線ばね部品１の一端及び他端が線ばね部品１の配置される方向に沿って揃うように配置されて構成されている。線ばね部品１は、線ばね部品１の一端及び他端から長手方向にそれぞれ所定の距離までが、線ばね部品１の配置される方向に延び、それぞれ所定の厚さを有する第１横枠３ａ及び第２横枠３ｂによって保持されている。第１横枠３ａ及び第２横枠３ｂは、線ばね部品１の一端及び他端から、それぞれ線ばね部品１の第１張出部１ｂ又は第２張出部１ｃの少なくとも一部を含むように延びてもよい。第１横枠３ａ及び第２横枠３ｂは、樹脂によって構成され、可撓性を有している。第１横枠３ａ及び第２横枠３ｂは、ばね部２と同程度の厚さを有していればよい。
【００２０】
第１横枠３ａ及び第２横枠３ｂは、ばね部２において線ばね部品１の配置される方向に一端及び他端において、線ばね部品１の長手方向に沿って延び、それぞれ所定の厚さを有する第１縦枠３ｃ及び第２縦枠３ｄによって接続されている。第１縦枠３ｃ及び第２縦枠３ｄは、隣接する線ばね部品１の少なくとも一部を含んでもよい。第１縦枠３ｃ及び第２縦枠３ｄは、樹脂によって構成され、可撓性を有している。第１縦枠３ｃ及び第２縦枠３ｄは、ばね部２と同程度の厚さを有していればよい。
【００２１】
図４は、支持体１０の曲げを説明する図である。図４（ａ）は支持体１０が略平面状に略水平方向に伸びた状態を示す斜視図である。図４（ｂ）は、支持体１０が、ばね部２の上面を内側にして第１縦枠３ｃの直上に所定の間隙を挟んで第２縦枠３ｄが対向して位置するように、略二つ折りに略１８０°にわたって曲げられた状態を示す斜視図である。図４（ｂ）に示すように、支持体１０が曲げられた状態において、第１横枠３ａ及び第２横枠３ｂは、ばね部２とともに曲がってばね部２を構成する線ばね部品１を一端及び他端からそれぞれ支持している。
【００２２】
ここで、図４（ｂ）に示した支持体１０が曲げられた状態には、図４（ａ）に示した支持体１０が略平面状に略水平方向に伸びた状態から、支持体１０に適切な曲げ力を印加することによって到達することができる。図４（ｂ）に示した支持体１０が曲げられた状態において、支持体１０に印加する曲げ力を解放すると、支持体１０は図４（ａ）に示したような元の略平面状に略水平方向に伸びた状態に戻る。
【００２３】
支持体１０は、線ばね部品１が所定の方向に配置されて構成されたばね部２が所定の弾性力を発揮できるように、ばね部２を構成する線ばね部品１の長手方向に直交する平面内を曲げ方向として、線ばね部品１の長手方向に沿って曲げることを想定している。このような所定の方向に曲げることにより、支持体１０による所定の弾性力を確保することができる。ばね部２が有する弾性力はそのような曲げ方向に限らず、ばね部２が略平面状に伸びた状態から面内及び面に垂直な方向について、あらゆる方向への変位に対して及ぼすことができる。
【００２４】
本実施の形態において、支持体１０は、線ばね部品１を配置して構成されたばね部２の四辺を樹脂製の枠３によって支持して構成されている。線ばね部品１によって構成された支持体１０は、金属板と比べて空洞が多いため、金属板と比べて軽量化を図ることができる。また、支持体１０は、曲げ力を加えないと略平面状に広がった状態を維持するとともに、適切な曲げ力を加えて所定の方向に曲げるときには、支持体１０からの所定の弾性力を確保することができる。さらに、支持体１０は、面内及び面に垂直な方向についてあらゆる方向に弾性力を及ぼすことができるため、表示体が曲げられた程度にかかわらず、表示体を支持して補強することを確保することができる。さらにまた、支持体１０は、線ばね部品１を配置して構成されたばね部２に樹脂製の枠３を一体成型することにより、容易に製造することができる。
【００２５】
図５は、ばね部２の他の態様を示す一部拡大図である。ばね部２の他の態様においては、線ばね部品１が、その短手方向に一方の側縁が隣接する他の線ばね部品１の他方の側縁を越えるように所定間隔で配置され、線ばね部品１が他の線ばね部品１に編み込まれている。
【００２６】
例えば、図５に示すように、線ばね部品１は、その短手方向に一方の側に張り出した第１張出部１ｂが一方の側に隣接する他の線ばね部品１の他方の側に張り出した第２張出部１ｃを越え、第１張出部１ｂが他の線ばね部品１の延伸部１ａの上に重なるとともに他の線ばね部品１の第１張出部１ｂの根元の下をくぐっている。また、線ばね部品１は、その短手方向に他方の側に張り出した第２張出部１ｃが他方の側に隣接する他の線ばね部品１の第１張出部１ｂを越え、第２張出部１ｃが他の線ばね部品の延伸部１ａの下をくぐるとともに他の線ばね部品の第２張出部１ｃの根元の上に重なっている。換言すると、線ばね部品１において、一方の側に張り出した第１張出部１ｂは、一方の側に隣接する線ばね部品１の第１張出部１ｂの根元に編み込まれ、他方の側に隣接する第２張出部１ｃは、他方の側に隣接する線ばね部品１の第２張出部１ｃの根元を編み込んでいる。
【００２７】
図５に示したようなばね部２の他の態様においては、ばね部２は隣接する線ばね部品１が互いに編み込まれることにより連結されて構成されている。したがって、ばね部２の他の態様によると、ばね部２の構造がより堅牢により、ばね部２による弾性力を確実に提供することができる。他の作用効果については、図２に示した本実施の形態のばね部２と同様である。
【００２８】
図６は、本実施の形態の表示装置を説明する図である。図６（ａ）は表示装置２０の斜視図であり、図６（ｂ）は表示装置２０の分解斜視図である。図６（ａ）に示すように、表示装置２０は、所定の奥行、所定の幅及び所定の厚さを有する第１部分２０ａと、第１部分２０ａと同様の奥行、幅及び厚さを有する第２部分２０ｂとを有している。第１部分２０ａと第２部分２０ｂとの対向する側縁を結んで接続部２０ｃが形成され、第１部分２０ａと第２部分２０ｂとは接続部２０ｃを軸として互いに回転可能なように連結されている。第１部分２０ａ及び第２部分２０ｂは、第１筐体２１ａ及び第２筐体２１ｂを有している。第１部分２０ａ及び第２部分２０ｂの上面にわたって、可撓性を有する有機ＥＬ等の１枚の共通の表示体２３が設けられている。
【００２９】
図６（ｂ）に示すように、表示装置２０は、可撓性を有する表示体２３と、表示体２３を裏面から支持する支持板２２と、表示装置２０の第１部分２０ａ及び第２部分２０ｂにそれぞれ対応する第１筐体２１ａ及び第２筐体２１ｂとを有している。第１筐体２１ａは、表示装置２０の第１部分２０ａにおいて、表示体２３の表示面が上面に露出するように表示体２３及び支持板２２を下側から覆っている。第２筐体２１ｂは、表示装置２０の第２部分２０ｂにおいて、表示体２３の表示面が上面に露出するように表示体２３及び支持板２２を下側から覆っている。第１筐体２１ａ及び第２筐体２１ｂは、堅い構造を有し、例えば樹脂によって作製されている。
【００３０】
支持板２２は、第１部分２０ａと第２部分２０ｂとの間に延びるように配置された３枚の支持体１０をコアとして含んでいる。支持板２２は、３枚の支持体１０をコアとして埋め込むように一体成型された樹脂板であってもよい。また、支持板２２は、３枚の支持体１０がコアとしての機能を果たすように取り付けられた樹脂板であってもよい。
【００３１】
図７は、本実施の形態の表示装置２０の開閉を説明する図である。表示装置２０に曲げ力を印加しないと、図６(ｂ)に示した３枚の支持体１０はそれぞれ略平面状に伸びた状態にある。図７（ａ）には、略平面状に伸びた３枚の支持体１０に従い、表示装置２０の第１部分２０ａと第２部分２０ｂとが略１８０°にわたって開いて略水平方向に伸びた状態を示す。第１部分２０ａ及び第２部分２０ｂの上面にわたって設けられた表示体２３も、略水平方向に略平面状に伸びた状態にある。
【００３２】
表示装置２０に適切な曲げ力を印加すると、図６（ｂ）に示した３枚の支持体１０はそれぞれ曲げられ、表示装置２０の第１部分２０ａ及び第２部分２０ｂも図７（ａ）に示した略１８０°にわたって開いた状態から曲げられる。例えば、図７（ａ）に示した第１部分２０ａ及び第２部分２０ｂが略１８０°にわたって開いた状態で表示装置２０に適切な曲げ力を印加すると、３枚の支持体１０はそれぞれ上面を内側にするように曲げられ、図７（ｂ）に示すように表示体２３を内側にして第１部分２０ａが第２部分２０ｂの直上にあって対向するように表示装置２０を完全に閉じることができる。また、図７（ａ）に示した第１部分２０ａ及び第２部分２０ｂが略１８０°にわたって開いた状態で表示装置２０に適切な曲げ力を今度は逆方向に印加すると、３枚の支持体１０はそれぞれ下面を内側にするように曲げられ、図７（ｃ）に示すように表示体２３を外側にして第２部分２０ｂが第１部分２０ａの直上にあって対向するように表示装置２０を完全に開くことができる。
【００３３】
本実施の形態の表示装置２０においては、コアとして３枚の支持体１０を含む支持板２２を使用している。このような支持板２２によって、可撓性を有する表示体２３を支持して補強することが確保されている。また、コアとなる３枚の支持体１０によって、表示装置２０に曲げ力を印加しないときには第１部分２０ａ及び第２部分２０ｂが略１８０°にわたって開いた状態を維持するとともに、表示装置２０に曲げ力を加えて第１部分２０ａ及び第２部分２０ｂを開閉するときには適切な弾性力を提供することができる。さらに、軽量な３枚の支持体１０をコアとした樹脂製の支持板２２を使用することにより、支持板２２の軽量化を図ることができ、ひいては表示装置２０の軽量化を図ることもできる。
【００３４】
図８は、第１変形例の表示装置を説明する図である。図８（ａ）は第１変形例の表示装置３０の斜視図であり、図８（ｂ）は第１変形例の表示装置３０の分解斜視図である。図８（ａ）に示すように、第１変形例の表示装置３０は、所定の奥行、所定の幅及び所定の厚さを有する第１部分３０ａと、第１部分３０ａと同様の奥行、幅及び厚さを有する第２部分３０ｂとを有している。第１部分３０ａと第２部分３０ｂとの対向する側縁を結んで接続部３０ｃが形成され、第１部分３０ａと第２部分３０ｂは接続部３０ｃを軸として互いに回転可能なように連結されている。第１部分３０ａ及び第２部分３０ｂは、それぞれ第１筐体３１ａ及び第２筐体３１ｂを有している。第１部分３０ａ及び第２部分３０ｂの上面にわたって、可撓性を有する有機ＥＬ等の１枚の共通の表示体３３が設けられている。
【００３５】
図８（ｂ）に示すように、第１変形例の表示装置３０は、可撓性を有する表示体３３と、表示体３３を裏面から支持する支持体１０と、第１変形例の表示装置３０の第１部分３０ａ及び第２部分３０ｂにそれぞれ対応する第１筐体３１ａ及び第２筐体３１ｂとを有している。第１筐体３１ａは、第１変形例の表示装置３０の第１部分３０ａにおいて、表示体３３の表示面が上面に露出するように表示体３３及び支持体１０を下側から覆っている。第２筐体３１ｂは、第１変形例の表示装置３０の第２部分３０ｂにおいて、表示体３３の表示面が上面に露出するように表示体３３及び支持体１０を下側から覆っている。第１筐体３１ａ及び第２筐体３１ｂは、堅い構造を有し、例えば樹脂によって作製されている。
【００３６】
第１変形例の表示装置３０においては、支持体１０が表示体３３の裏面の略全体を直接に支持している。この点において、図６（ｂ）に示したように支持体１０が表示体２３を支持する支持板２２のコアを構成していた本実施の形態の表示装置２０と相違している。他の構成については、図６（ｂ）に示した本実施の表示装置２０と同様である。
【００３７】
図９は、第１変形例の表示装置３０の開閉を説明する図である。第１変形例の表示装置３０に曲げ力を印加しないと、図８(ｂ)に示した支持体１０は略平面状に伸びた状態にある。図９（ａ）には、略平面状に伸びた支持体１０に従い、第１変形例の表示装置３０の第１部分３０ａと第２部分３０ｂとが略１８０°にわたって開いて略水平方向に伸びた状態を示す。第１部分３０ａ及び第２部分３０ｂの上面にわたって設けられた表示体３３も、略水平方向に略平面状に伸びた状態にある。
【００３８】
第１変形例の表示装置３０に曲げ力を印加すると、図８（ｂ）に示した支持体１０は曲げられ、第１変形例の表示装置３０の第１部分２０ａ及び第２部分２０ｂも図９（ａ）に示した略１８０°にわたって開いた状態から曲げられる。例えば、図９（ａ）に示した第１部分３０ａ及び第２部分３０ｂが略１８０°にわたって開いて略水平方向に伸びた状態で表示装置２０に適切な曲げ力を印加すると、支持体１０は上面を内側とするように曲げられ、図９（ｂ）に示すように表示体３３を内側にして第２部分２０ｂが略鉛直方向に立ち上がって状態を経て、図９（ｃ）に示すように表示体３３を内側にして第２部分３０ｂが第１部分３０ａの直上にあって対向するように表示装置２０を完全に閉じることができる。また、図９（ａ）に示した第１部分２０ａ及び第２部分２０ｂが略１８０°にわたって開いて略水平方向に伸びた状態で表示装置２０に表示装置２０に適切な曲げ力を今度は逆方向に印加すると、支持体１０は上面を内側とするように曲げられ、図９（ｄ）に示すように表示体３３を内側にして第１部分２０ａが略鉛直方向に立ち上がって状態を経て、図９（ｅ）に示すように表示体３３を内側にして第１部分３０ａが第２部分３０ｂの直上にあって対向するように表示装置２０を完全に閉じることができる。
【００３９】
第１変形例の表示装置３０においては、表示体３３を支持体１０で支持している。このような支持体１０によって、可撓性を有する表示体３３を支持して補強することが確保されている。また、支持体１０によって、第１変形例の表示装置３０に曲げ力を印加しないときには第１部分３０ａ及び第２部分３０ｂが略１８０°にわたって開いた状態を維持するとともに、第１変形例の表示装置３０に曲げ力を加えて第１部分３０ａ及び第２部分３０ｂを開閉するときには適切な弾性力を提供することができる。さらに、第１変形例の表示装置３０は、表示体３３を支持するために軽量な支持体１０を使用しているため、軽量化を図ることができる。
【００４０】
図１０は、第２変形例の表示装置を説明する図である。図１０（ａ）は第２変形例の表示装置４０の斜視図であり、図１０（ｂ）は第２変形例の表示装置４０の分解斜視図である。第２変形例の表示装置４０は、可撓性を有する単一の筐体４１を有し、上面にわたって設けられた可撓性を有する有機ＥＬ等の表示体４３とともに表示体４３を内側にして巻き取ることができる。
【００４１】
図１０（ｂ）に示すように、第２変形例の表示装置４０は、可撓性を有する表示体４３と、表示体４３を裏面から支持する支持体１０と、可撓性を有する筐体４１とを有している。筐体４１は、表示体４３の表示面が上面に露出するように表示体４３及び支持体１０を下側から覆っている。
【００４２】
第２変形例の表示装置４０においては、可撓性を有する単一の筐体４１を有している点において、図６（ｂ）に示したような硬い構造の第１筐体２１ａ及び第２筐体２１ｂを有する本実施の形態の表示装置２０、同様に、図８（ｂ）に示したような硬い構造の第１筐体３１ａ及び第２筐体３１ｂを有する第１変形例の表示装置３０と相違している。また、第２変形例の表示装置４０では支持体１０が表示体４３の裏面の略全体を直接に支持している点において、図６（ｂ）に示したような支持体１０が表示体２３を支持する支持板２２のコアを構成していた本実施の形態の表示装置２０と相違している。他の構成については、図６（ｂ）に示した本実施の形態の表示装置２０、図８（ｂ）に示した第１変形例の表示装置３０と同様である。
【００４３】
図１１は、第２変形例の表示装置４０の巻き取りを説明する図である。第２変形例の表示装置４０に曲げ力を印加しないと、図１０(ｂ)に示した支持体１０は略平面状に伸びた状態にある。図１１（ａ）には、略平面状に伸びた支持体１０に従い、第２変形例の表示装置４０が略水平方向に伸びた状態を示す。第２変形例の表示装置４０の上面にわたって設けられた表示体３３も、略水平方向に略平面状に伸びた状態にある。
【００４４】
第２変形例の表示装置４０に適切に曲げ力を印加すると、図１０（ｂ）に示した支持体１０は上面を内側にして巻き取られるように曲げられ、第２変形例の表示装置４０も図１１（ａ）に示したような略水平方向に伸びた状態から図１１（ｂ）に示したような表示体４２側を内側として巻き取ることができる。
【００４５】
第２変形例の表示装置４０においては、表示体４３を支持体１０で支持している。このような支持体１０によって、可撓性を有する表示体４３を支持して補強することが確保されている。また、支持体１０によって、第２変形例の表示装置４０に曲げ力を印加しないときには略平面状に開いた状態を維持するとともに、第２変形例の表示装置４０に曲げ力を加えて巻き取るときには適切な弾性力を提供することができる。さらに、第２変形例の表示装置４０は、表示体４３を支持するために軽量な支持体１０を使用しているため、軽量化を図ることができる。
【産業上の利用可能性】
【００４６】
この発明は、有機ＥＬのような可撓性を有する表示体を含んで構成され、表示体とともに折り畳みや曲げが可能な表示装置に適用することができる。
【符号の説明】
【００４７】
１  線ばね部品
１ａ  延伸部
１ｂ  第１張出部
１ｃ  第２張出部
２  ばね部
３  枠
１０  支持体
２０  表示装置
２１ａ  第１筐体
２１ｂ  第２筐体
２２  支持板
２３  表示体
３０  第１変形例の表示装置
４０  第２変形例の表示装置
【図１】
2020148817.tif 000003
【図２】
2020148817.tif 000004
【図３】
2020148817.tif 000005
【図４】
2020148817.tif 000006
【図５】
2020148817.tif 000007
【図６】
2020148817.tif 000008
【図７】
2020148817.tif 000009
【図８】
2020148817.tif 000010
【図９】
2020148817.tif 000011
【図１０】
2020148817.tif 000012
【図１１】
2020148817.tif 000013